(57)【要約】 【課題】  コネクタ同士が嵌合したことを知らせるために発生する音を大きくできるコネクタ装置を提供することを目的とする。【解決手段】  コネクタ装置１を構成する雄コネクタ２の雄ハウジング３の上面には、突出したロック突部３３と、これよりも高く突出した一対のリブ３４が形成されている。一方、雌コネクタ６の雌ハウジング７には、コネクタ２、６の嵌合時に、撓んでロック突部３３を乗越えてロック突部３３と係合することにより、コネクタ２、６の抜け止めを行うロックレバー７５と、同じく、リブ３４を乗越える可動片７６が一体に形成されている。コネクタ２、６のロック状態を解除する時は、ロックレバー７５がロック突部３３を乗越えることができるように、操作部７５ｂを押し下げながら雌雄のコネクタ２、６を引き離す。この時、可動片７６はリブ３４の後面に当接して押圧されることにより、リブ３４を避けるように内方へ撓んで通過することができる。【選択図】  図２
2006127796.tif 000002
【特許請求の範囲】
【請求項１】
内部にそれぞれ端子金具を収容し、互いに嵌合することにより前記端子金具同士を係合させる一対のコネクタを備え、前記コネクタのうち一方のハウジングにはロック突部が突出して形成され、前記コネクタのうち他方のハウジングには、前記コネクタ同士が嵌合する時に、撓みながら前記ロック突部を乗越え、その後、形状復帰して前記ロック突部と係合してその抜け止めを行うロックレバーを有するコネクタにおいて、
前記一方のハウジングには、前記ロック突部よりも高く突出したリブが形成され、前記他方のハウジングには、前記コネクタ同士が嵌合する時に、撓みながら前記リブを乗越えた後、形状復帰してその先端が前記一方のハウジングに当接することにより音を発生する可動片を有し、前記コネクタ同士の嵌合を解除する時には、前記リブおよび前記可動片のうちの一側を、前記可動片が前記リブを乗越える時に撓んだ方向と異なる方向に撓ませて、前記ハウジング同士を引き離すことが可能であることを特徴とするコネクタ装置。
【請求項２】
前記コネクタ同士の嵌合を解除する時、前記ハウジング同士が引き離されることにより、前記リブおよび前記可動片のうちの一側が他側に当接して押圧され、それを避ける方向に撓むことを特徴とする請求項１記載のコネクタ装置。
【請求項３】
前記リブは前記一方のハウジング上に、前記コネクタの嵌合方向に向かって、前記ロック突部の左右の片側に設けられ、前記可動片は前記他方のハウジング上に、前記コネクタの嵌合方向に向かって、前記ロックレバーの左右の片側に形成されたことを特徴とする請求項１または請求項２記載のコネクタ装置。
【請求項４】
前記リブは前記一方のハウジング上に、前記コネクタの嵌合方向に向かって、前記ロック突部を左右に挟むように一対設けられ、前記可動片は前記他方のハウジング上に、前記コネクタの嵌合方向に向かって、前記ロックレバーを左右に挟むように一対形成されたことを特徴とする請求項１または請求項２記載のコネクタ装置。
【請求項５】
前記他方のハウジングには、前記可動片を覆うカバー部が形成されたことを特徴とする請求項１乃至請求項４のいずれかに記載のコネクタ装置。
【発明の詳細な説明】
【技術分野】
【０００１】
本発明は、内部にそれぞれ端子金具を収容する一対のコネクタを備えたコネクタ装置に関する。
【背景技術】
【０００２】
従来技術として、内部に端子金具を有するハウジングを備えたコネクタで、ハウジングがロックレバーを備えていて、相手側コネクタに嵌合する時に、このロックレバーが撓むことにより相手側コネクタのロック部を乗越え、その後、形状復帰することによりロック部と係合して、双方の抜け止めを行うコネクタがあった（例えば、特許文献１参照）。このコネクタは、ロックレバーがロック部を乗越えて、勢いよく形状復帰した時にオーバースイングして、その一部位が相手側コネクタのハウジングに当接することにより音を発して、嵌合作業者に双方のコネクタが完全嵌合したことを知らせている。
【０００３】
しかしながら、コネクタを嵌合させる作業場の環境によっては、嵌合時に発生する音が作業者にとって小さいために、完全嵌合したがどうかが分かり難いことがあった。特に、周囲からの騒音が大きい場所での嵌合作業においては、そういうことが著しかった。コネクタの嵌合時に発生する音を大きくするために、嵌合時のロックレバーの撓み量を大きくする方法があったが、そうすると、コネクタをロック状態から解除する時に、ロックレバーの操作量も増大し、解除作業が困難になるという問題もあった。
【特許文献１】実開平６−５０２６９号公報（第６図−第８図）
【発明の開示】
【発明が解決しようとする課題】
【０００４】
本発明は上記のような事情に基づいて完成されたものであって、コネクタ同士が嵌合したことを知らせるために発生する音を大きくできるコネクタ装置を提供することを目的とする。
【課題を解決するための手段】
【０００５】
上記の目的を達成するための手段として、請求項１の発明は、内部にそれぞれ端子金具を収容し、互いに嵌合することにより前記端子金具同士を係合させる一対のコネクタを備え、前記コネクタのうち一方のハウジングにはロック突部が突出して形成され、前記コネクタのうち他方のハウジングには、前記コネクタ同士が嵌合する時に、撓みながら前記ロック突部を乗越え、その後、形状復帰して前記ロック突部と係合してその抜け止めを行うロックレバーを有するコネクタにおいて、前記一方のハウジングには、前記ロック突部よりも高く突出したリブが形成され、前記他方のハウジングには、前記コネクタ同士が嵌合する時に、撓みながら前記リブを乗越えた後、形状復帰してその先端が前記一方のハウジングに当接することにより音を発生する可動片を有し、前記コネクタ同士の嵌合を解除する時には、前記リブおよび前記可動片のうちの一側を、前記可動片が前記リブを乗越える時に撓んだ方向と異なる方向に撓ませて、前記ハウジング同士を引き離すことが可能であることを特徴とするコネクタ装置とした。
【０００６】
請求項２の発明は、前記コネクタ同士の嵌合を解除する時、前記ハウジング同士が引き離されることにより、前記リブおよび前記可動片のうちの一側が他側に当接して押圧され、それを避ける方向に撓むことを特徴とする請求項１記載のコネクタ装置とした。
【０００７】
請求項３の発明は、前記リブは前記一方のハウジング上に、前記コネクタの嵌合方向に向かって、前記ロック突部の左右の片側に設けられ、前記可動片は前記他方のハウジング上に、前記コネクタの嵌合方向に向かって、前記ロックレバーの左右の片側に形成されたことを特徴とする請求項１または請求項２記載のコネクタ装置とした。
【０００８】
請求項４の発明は、前記リブは前記一方のハウジング上に、前記コネクタの嵌合方向に向かって、前記ロック突部を左右に挟むように一対設けられ、前記可動片は前記他方のハウジング上に、前記コネクタの嵌合方向に向かって、前記ロックレバーを左右に挟むように一対形成されたことを特徴とする請求項１または請求項２記載のコネクタ装置とした。
【０００９】
請求項５の発明は、前記他方のハウジングには、前記可動片を覆うカバー部が形成されたことを特徴とする請求項１乃至請求項４のいずれかに記載のコネクタ装置とした。
【発明の効果】
【００１０】
＜請求項１の発明＞
コネクタ同士が嵌合する時に、ロック突部よりも高いリブを乗越えた可動片が、形状復帰してハウジングに当接することにより、従来よりも大きな音を発生するため、コネクタ同士が嵌合したことを明確に知らせることができる。コネクタ同士の嵌合を解除する時には、リブおよび可動片のうちの一側を、可動片がリブを乗越える時に撓んだ方向と異なる方向に撓ませることにより、ハウジング同士を引き離すことが可能であるため、リブおよび可動片を互いに避けるように操作するための操作量がさほど大きくならず、解除作業も容易である。
【００１１】
＜請求項２の発明＞
コネクタ同士の嵌合を解除する時、ハウジング同士が引き離されることにより、リブおよび可動片のうちの一側が他側に当接して押圧され、それを避ける方向に撓むため、リブおよび可動片のうちの一側を特別に操作することなく、ハウジング同士を引き離すだけで、コネクタ同士の嵌合を解除できる。
【００１２】
＜請求項３の発明＞
リブは一方のハウジング上に、コネクタの嵌合方向に向かって、ロック突部の左右の片側に設けられ、可動片は他方のハウジング上に、コネクタの嵌合方向に向かって、ロックレバーの左右の片側に形成されたことにより、それぞれハウジングの少ないスペースを利用して、リブおよび可動片を設けることができる。
【００１３】
＜請求項４の発明＞
リブは一方のハウジング上に、コネクタの嵌合方向に向かって、ロック突部を左右に挟むように一対設けられ、可動片は他方のハウジング上に、コネクタの嵌合方向に向かって、ロックレバーを左右に挟むように一対形成されたことにより、コネクタ同士を嵌合させる時に発生する抵抗が、左右方向においてバランスがよく、嵌合を円滑に行うことができる。
【００１４】
＜請求項５の発明＞
他方のハウジングには、可動片を覆うカバー部が形成されたことにより、可動片が他部材に当接して変形、破損することがない。
【発明を実施するための最良の形態】
【００１５】
本発明の実施形態を図１乃至図１０によって説明する。説明中において、図１の右方を雄コネクタ２の前方、左方を雌コネクタ６の前方とする。雄コネクタ２は雌コネクタ６とともにコネクタ装置１を構成し、雄ハウジング３（本発明の一方のハウジングに該当する）とその中に収容された雄端子金具４を備えている。雄ハウジング３は合成樹脂材料によって一体に形成され、内部に雄端子金具４が収容された端子収容孔３１を有している。雄端子金具４は導電性を有した金属材料にて形成され、前端に後述する雌端子金具８と係合する嵌合部４１を有し、その後方には、電線Ｗの芯線ＣＩにかしめられるワイヤーバレル４２が形成され、更に、その後方には、電線Ｗが挿入された防水ゴム５の外周面にかしめられる絶縁バレル４３が設けられている。
【００１６】
雄ハウジング３の端子収容孔３１内には、下方から撓み可能なランス３２が突出しており、収容された雄端子金具４と係合してその抜け止めを行っている。雄ハウジング３の前方上面には、その幅方向（図２において上下方向）の中央部にロック突部３３が上方に向けて突出している。ロック突部３３は、その前方には傾斜面３３ａが形成されるとともに、後方はほぼ垂直に切り立っている。更に、雄ハウジング３には、その嵌合方向（図２において右方）に向かって、ロック突部３３を左右に挟むように一対の突出したリブ３４が形成されている。図１に示すように、それぞれのリブ３４はロック突部３３よりも高く突出しており、やはり、前方には斜面３４ａが設けられるとともに、後方は垂直に形成されている。
【００１７】
雌コネクタ６は、雌ハウジング７（本発明の他方のハウジングに該当する）とその中に収容された雌端子金具８を備えている。雌ハウジング７は合成樹脂材料によって一体に形成され、内部に雌端子金具８が収容された端子収容孔７１を有している。雌端子金具８は導電性を有した金属材料にて形成され、前端に雄端子金具４が挿入される接続部８１を有し、その後方には、電線Ｗの芯線ＣＩにかしめられるワイヤーバレル８２が形成され、更に、その後方には、電線Ｗが挿入された防水ゴム５の外周面にかしめられる絶縁バレル８３が設けられている。
【００１８】
雌ハウジング７の端子収容孔７１の前壁には、コネクタ２、６の嵌合時に、雄端子金具４が進入する端子挿入孔７２が形成され、また、端子収容孔７１内には、下方から撓み可能なランス７３が突出している。これは雄ハウジング３と同様に、収容された雌端子金具８と係合してその抜け止めを行っている。また、雌ハウジング７の前方にはフード部７４が形成され、雄コネクタ２を受け入れ可能になっている。
【００１９】
雌ハウジング７の前方上面には、その幅方向の中央部にロックレバー７５が一体に設けられている。ロックレバー７５は、その前後方向の略中央部において雌ハウジング７の他の部位と連結されており、前後方向に傾く（撓む）ことが可能となっている。ロックレバー７５の先端部には、雄ハウジング３のロック突部３３と係合可能なように鉤状部７５ａが形成され、その後端部にはロック突部３３との係合を解除するための操作部７５ｂが形成されている。ロックレバー７５の前方には、その嵌合方向（図２において左方）に向かって、ロックレバー７５を左右に挟むように、一対の可動片７６が一体に形成されている。可動片７６は、コネクタ２、６の嵌合時に、雄ハウジング３のリブ３４の位置と一致するように形成されている。一対の可動片７６は、ロックレバー７５から幅方向左右に突出しており、それぞれ水平方向内方（ロックレバー７５側）へ撓み可能とされている。図２に示すように、ロックレバー７５の上方には、可動片７６を覆うようにカバー部７７が形成され、可動片７６を保護している。
【００２０】
次に、コネクタ２、６を互いに嵌合させる方法について説明する。図５および図６に示すように、雌雄のコネクタ２、６を嵌合させていくと、雄端子金具４の嵌合部４１が端子挿入孔７２に進入して、雌端子金具８の接続部８１に係合する。それとともに、一対の可動片７６は雄ハウジング３のリブ３４に形成された斜面３４ａに乗り上げて上昇するため、これと一体のロックレバー７５も、可動片７６と同じ高さで前方が上向きになるように傾く（撓む）。
【００２１】
図７および図８に示すように、雌雄のコネクタ２、６の嵌合が完了すると、可動片７６がリブ３４の後面に到達する。この時、ロックレバー７５の鉤状部７５ａもロック突部３３の後面に到達しているため、ロックレバー７５と可動片７６は一体となって、それぞれロック突部３３およびリブ３４を乗越えた後、形状復帰する。この時、ロックレバー７５の鉤状部７５ａおよび一対の可動片７６は、勢いよく雄ハウジング３の上面に当接するため、雄ハウジング３とロックレバー７５および可動片７６との間で音が発生し、嵌合が完了したことを知らせる。尚、形状復帰したロックレバー７５は、ロック突部３３と係合してコネクタ２、６の抜け防止を行う。
【００２２】
次に、図９及び図１０に基づいて、嵌合した状態にあるコネクタ２、６を、解除状態にする方法について説明する。まず、作業者が指等でロックレバー７５の後方にある操作部７５ｂを下方に押し下げて、その鉤状部７５ａがロック突部３３よりも高い位置にくるように、ロックレバー７５を傾かせる（撓ませる）。雄ハウジング３のリブ３４はロック突部３３よりも高く突出しているため、この時、可動片７６はリブ３４を超える高さにはない。次に、操作部７５ｂを押し下げたまま、雌雄のコネクタ２、６を互いに引き離すと、ロックレバー７５の鉤状部７５ａは、ロック突部３３を支障なく超えることができる。一方、一対の可動片７６は、それぞれ、リブ３４を乗越える時と異なる方向である内方へ撓み可能とされているため、雌雄のコネクタ２、６を互いに引き離すと、リブ３４の後面に当接して押圧されることにより、リブ３４を避けるように撓んで通過することが可能となる（図１０示）。
【００２３】
本実施形態によれば、コネクタ２、６同士が嵌合する時に、ロック突部３３よりも高いリブ３４を乗越えた可動片７６およびロックレバー７５が、形状復帰して雄ハウジング３に当接することにより、従来よりも大きな音を発生するため、コネクタ２、６同士が嵌合したことを明確に知らせることができる。コネクタ２、６同士の嵌合を解除する時には、可動片７６を雌コネクタ６の幅方向に撓ませることにより、ハウジング３、７同士を引き離すことが可能であるため、ロックレバー７５の操作部７５ｂの操作量がさほど大きくならず、解除作業も容易である。
【００２４】
また、コネクタ２、６同士の嵌合を解除する時、ハウジング３、７同士が引き離されることにより、可動片７６がリブ３４に当接して押圧され、それを避ける方向に撓むため、可動片７６を特別に操作することなく、ハウジング３、７同士を引き離すだけで、コネクタ同士の嵌合を解除できる。
【００２５】
また、リブ３４は雄ハウジング３上に、コネクタ２の嵌合方向に向かって、ロック突部３３を左右に挟むように一対設けられ、可動片７６は雌ハウジング７上に、コネクタ６の嵌合方向に向かって、ロックレバー７５を左右に挟むように一対形成されたことにより、コネクタ２、６同士を嵌合させる時に発生する抵抗が、左右方向においてバランスがよく、嵌合を円滑に行うことができる。更に、雌ハウジング７には、可動片７６を覆うカバー部７７が形成されたことにより、可動片７６が他部材に当接して変形、破損することがない。
【００２６】
＜他の実施形態＞
本発明は上述の記載および図面によって説明した実施形態に限定されるものではなく、例えば次のような実施形態も本発明の技術的範囲に含まれ、さらに、以下の記載のもの以外にも要旨を逸脱しない範囲内で種々変更して実施することができる。
（１）雌雄のコネクタを引き離す時、可動片とリブが互いに当接して、可動片を避けるようにリブの上方が撓むようにしてもよい。
（２）リブをコネクタの嵌合方向に向かって、ロック突部の左右の片側に設け、可動片をコネクタの嵌合方向に向かって、ロックレバーの左右の片側に形成することにより、それぞれハウジングの少ないスペースを利用して、リブおよび可動片を設けることができる。
（３）ロックレバーおよび可動片は片持ち状だけでなく、両持ち状に形成してもよい。
（４）ロックレバーと可動片は互いに別体に形成してもよい。
【図面の簡単な説明】
【００２７】
【図１】本実施形態による雌雄のコネクタの断面図である。
【図２】図１に示した雌雄のコネクタの上面図である。
【図３】図１に示した雌コネクタの前方図である。
【図４】図１に示した雄コネクタの前方図である。
【図５】雌雄のコネクタが互いに嵌合しつつあるところを示す断面図である。
【図６】図５に示した雌雄のコネクタの上面図である。
【図７】雌雄のコネクタの嵌合が完了したところを示す断面図である。
【図８】図７に示した雌雄のコネクタの上面図である。
【図９】雌雄のコネクタの嵌合を解除するところを示す断面図である。
【図１０】図９に示した雌雄のコネクタの上面図である。
【符号の説明】
【００２８】
１…コネクタ装置
２…雄コネクタ
３…雄ハウジング
４…雄端子金具
６…雌コネクタ
７…雌ハウジング
８…雌端子金具
３３…ロック突部
３４…リブ
７５…ロックレバー
７６…可動片
７７…カバー部
【図１】
2006127796.tif 000003
【図２】
2006127796.tif 000004
【図３】
2006127796.tif 000005
【図４】
2006127796.tif 000006
【図５】
2006127796.tif 000007
【図６】
2006127796.tif 000008
【図７】
2006127796.tif 000009
【図８】
2006127796.tif 000010
【図９】
2006127796.tif 000011
【図１０】
2006127796.tif 000012